(57)【要約】【課題】車両厨房室内に冷気が循環して作業環境が改善され、また、運転室内の環境も悪化させることがない冷房装置を搭載した移動販売車を提供する。【解決手段】移動販売車１１の後部厨房室内１１ｂを冷房する冷房装置１７の熱交換機を運転室内に設置し、冷房装置１７の熱交換に伴う排熱を冷房装置１７の排気口から運転席室内の座席の下を通して車外に排出する排熱排出用配管１９を設けるとともに、冷房装置１７の冷気吹出し口から座席上部を通して後部厨房室内１１ｂに至る冷房用配管１８を設けた移動販売車である。【選択図】図１
0003123729.tif 000002
【実用新案登録請求の範囲】
【請求項１】
冷房装置を搭載した移動販売車において、
移動販売車の後部厨房室内を冷房する前記冷房装置の熱交換機を運転室内に設置し、該冷房装置の熱交換に伴う排熱を該冷房装置の排気口から該運転室内の座席の下を通して車両外に排出する排熱排出用配管を設けるとともに、該冷房装置の冷気吹出し口から前記座席上部を通して前記後部厨房室内に至る冷房用配管を設けたことを特徴とする冷房装置を搭載した移動販売車。
【請求項２】
前記冷房装置を運転席と助手席との間に設置したことを特徴とする請求項１に記載の冷房装置を搭載した移動販売車。
【請求項３】
前記移動販売車に設けた販売窓口側上部に配管した前記冷房用配管から複数の分岐配管が分岐し、該複数の分岐配管の開口端を、該販売窓口側から後部厨房室内の対向側に冷気を吹き出す複数の吹出し口としたことを特徴とする請求項１又は２に記載の冷房装置を搭載した移動販売車。
【考案の詳細な説明】
【技術分野】
【０００１】
本考案は、車両後部厨房室内を冷房する冷房装置を運転席に設置した移動販売車に関し、運転室内を快適な環境に維持できる冷房装置を搭載した移動販売車に関する。
【背景技術】
【０００２】
図４は、従来のハンバーガー類を戸外で移動販売する移動販売車１を示しており、この移動販売車１は、バン型式の自動車の後部側を床面状とし、厨房機器を配置し、車両側部に販売窓口２が設けられ、ホットショーケース３、フラィヤー４、開架式カウンター５、レジ６、シンク７、排水タンク８、冷凍ストッカー９、発電機１０等が設けられている。（例えば、特許文献１参照）
【０００３】
【特許文献１】特開平９−１５０６６５号公報（明細書全文，図面全図）
【考案の開示】
【考案が解決しようとする課題】
【０００４】
上記従来の移動販売車は、各種厨房機器を車両内に稠密に効率良く収納されて移動販売に適したものであり、車両内には車両後部厨房室内を冷房する冷房装置を設置する十分なスペースがないことが多く、通常、車両後部厨房室内の車両側部に設けた販売窓口から入る自然の風や扇風機に頼るしかなかった。
【０００５】
本考案は、上記のような課題に鑑みなされたものであって、車両厨房室内に冷気が循環して作業環境が改善され、また、運転室内の環境も悪化させることがない冷房装置を搭載した移動販売車を提供することを目的とする。
【課題を解決するための手段】
【０００６】
本考案は、上記課題を達成したものであって、請求項１の考案は、冷房装置を搭載した移動販売車において、
移動販売車の後部厨房室内を冷房する前記冷房装置の熱交換機を運転室内に設置し、該冷房装置の熱交換に伴う排熱を該冷房装置の排気口から該運転室内の座席の下を通して車両外に排出する排熱排出用配管を設けるとともに、該冷房装置の冷気吹出し口から前記座席上部を通して前記後部厨房室内に至る冷房用配管を設けたことを特徴とする冷房装置を搭載した移動販売車である。
【０００７】
また、請求項２の考案は、前記冷房装置を運転席と助手席との間に設置したことを特徴とする請求項１に記載の冷房装置を搭載した移動販売車である。
【０００８】
また、請求項３の考案は、前記移動販売車に設けた販売窓口側上部に配管された前記冷房用配管から複数の分岐配管が設けられ、該複数の分岐配管の開口端を、該販売窓口側から後部厨房室内の対向側に冷気を吹き出す複数の吹出し口としたことを特徴とする請求項１又は２に記載の冷房装置を搭載した移動販売車である。
【考案の効果】
【０００９】
請求項１の考案では、冷房装置を搭載した移動販売車において、移動販売車の後部厨房室内を冷房する前記冷房装置の熱交換機を運転室内に設置し、該冷房装置の熱交換に伴う排熱を該冷房装置の排気口から該運転室内の座席の下を通して車両外に排出する排熱排出用配管を設けるとともに、該冷房装置の冷気吹出し口から前記座席上部を通して前記後部厨房室内に至る冷房用配管を設けたことを特徴とする冷房装置を搭載した移動販売車であるので、冷房装置を設置する十分なスペースがない車両後部厨房室内を冷房する際に、冷房装置の熱交換機を運転室内に設置することにより、冷房装置から排出される排熱を排熱排出用配管を通して車両外に排出することができ、運転室内に排熱が蓄積されることがなく、運転室内を快適な環境に維持できるし、移動販売車の後部厨房室内を快適な環境に維持できる利点がある。
【００１０】
また、請求項２の考案では、前記冷房装置を運転席と助手席との間に設置したことを特徴とする請求項１に記載の冷房装置を搭載した移動販売車であるので、スペースに余裕のない移動販売車であっても冷房装置を設置して後部厨房室内を冷房することができる利点がある。しかも、冷房装置の排熱は、車両外に排出され、運転室内の環境を悪化させることがない。
【００１１】
また、請求項３の考案では、前記移動販売車に設けた販売窓口側上部に配管された前記冷房用配管から複数の分岐配管が設けられ、該複数の分岐配管の開口端を、該販売窓口側から後部厨房室内の対向側に冷気を吹き出す複数の吹出し口としたことを特徴とする請求項１又は２に記載の冷房装置を搭載した移動販売車であるので、吹出し口から厨房設備が設置された後部厨房室内に均等に冷気を供給することができ、また、冷気は販売窓口と反対方向に放出されており、冷気が車両後部厨房室内に循環し効率良く冷却できる利点がある。
【考案を実施するための最良の形態】
【００１２】
以下、本考案に係る冷房装置を備える移動販売車の実施の形態について、図面を参照して説明する。先ず、図面について簡単に説明すると、図１は本考案に係る冷房装置を備える移動販売車の要部斜視図である。図２（ａ），（ｂ）は本実施形態の移動販売車の冷房装置の配置を示し、同図（ａ）がその概略側面図であり、同図（ｂ）はその冷房設備の配置を示す配置図である。図３は本実施形態における冷気の吹出し位置を示す配置図である。
【００１３】
本実施形態の冷房装置を備える移動販売車について図１〜図３を参照し説明する。本実施形態では、図２〜図３に示すように、移動販売車１１が運転室１１ａと後部厨房室１１ｂとからなり、後部厨房室１１ｂ内に調理などができる厨房機器を配置した作業台１２が設けられ、運転室１１ａの背後に給水・排水設備１３が設けられ、かつ車両左側にはカウンター１４と車両側部に販売窓口１６とが設けられ、車両右側の作業台１２には厨房機器等がそれぞれ配置されている。作業台１２の底部には、電源を必要とする厨房機器や冷房装置１７のための自家発電機１５が設置されている。なお、移動販売車１１は、カフェ機能を備えたものやハンバーガー等のファーストフードを販売したり、軽食が可能な車両を総称している。
【００１４】
運転室内１１ａには、冷房装置１７が運転席１１ｃと助手席１１ｄとの間に設置され、図１に示すように、冷房装置１７には吸入口１７ａと、冷気吹出し口１７ｂと、排熱吹出し口１７ｃが設けられ、冷気吹出し口１７ｂには冷房用配管１８が接続され、排熱吹出し口１７ｃには排熱排出用配管１９が接続されている。冷房用配管１８は、冷気吹出し口１７ｂから立ち上がり、助手席１１ｄの上部を通過して後部厨房室１１ｂ内へと配管されている。
【００１５】
一方、排熱排出用配管１９は、排熱吹出し口１７ｃにボックス１９ａが設けられ、ボックス１９ａにＬ字配管１９ｂの一開口端が接続され、Ｌ字配管１９ｂの他の開口端が助手席１１ｃの底部に設けられたボックス１９ｃに接続され、ボックス１９ｃから排熱を車両外に排出する配管１９ｄが設けられている。このように排熱が助手席１１ｃの底部のボックス１９ｃを介して車両外に排出され、運転室１１ａ内に排熱が蓄積して温度が上昇するといったことがなく、運転室を快適な環境に維持することができる。
【００１６】
冷房用配管１８は、運転室１１ａから配管１８ａにより後部厨房室１１ｂのカウンター１４の上部へと配管されている。後部厨房室１１ｂ内の配管１８ａは、図２，図３に示すように、車両側部に沿って配管され、その配管１８ａから、例えば６本の分岐配管１８ｂに分岐され、分岐配管１８ｂの開口端が冷気の吹出し口１８ｃとなっている。冷気の吹出し口１８ｃは、カウンター１４が設けられた車両側部の販売窓口１６上部に配置されている。冷気の吹出し口１８ｃから放出される冷気は、販売窓口１６が設けられたカウンター１４や販売窓口１６の車両上部から後部厨房室１１ｂの対向側の作業台１２方向へと放出され、車両内を循環するようにし、冷気が簡単に販売窓口１６から車両外に流れ出ないように、冷気吹出し口１８ｃが配置されている。
【００１７】
また、本実施形態では、比較的狭い後部厨房室内に多種の厨房機器が設置されており、有効スペースに限りがあり、冷房装置を運転室に配置することによって、後部厨房室内に多くの厨房設備やレジなど販売機器を設置することができる。また、後部厨房室は厨房設備等により重量が重くなり、車両としてのバランスが悪くなりがちであるが、冷房装置を運転室側に配置することで、車両の重量バランスが良好に保たれる利点がある。
【産業上の利用可能性】
【００１８】
本考案の活用例としては、移動販売車に冷房装置を設置して快適な環境にでき、移動販売車内の作業環境を改善できる移動販売車として利用することができる。
【図面の簡単な説明】
【００１９】
【図１】本考案に係る冷房装置を備える移動販売車の要部斜視図である。
【図２】（ａ）は本実施形態の移動販売車の冷房装置の配置を示す概略側面図であり、（ｂ）はその冷房設備の配置を示す配置図である。
【図３】本実施形態における冷気の吹出し位置を示す配置図である。
【図４】従来の移動販売車の概要を示す概略側面図である。
【符号の説明】
【００２０】
１１  移動販売車（車両）
１１ａ  運転室
１１ｂ  後部厨房室
１１ｃ  運転席
１１ｄ  助手席
１２  作業台
１３  給水・排水設備
１４  カウンター
１５  自家発電機
１６  販売窓口
１７  冷房装置
１７ａ  吸入口
１７ｂ  冷気吹出し口
１７ｃ  排熱吹出し口
１８  冷房用配管
１９  排熱排出用配管
１９ａ，１９ｃ  ボックス
１９ｂ  Ｌ字配管
１９ｄ  配管
【図１】
0003123729.tif 000003
【図２】
0003123729.tif 000004
【図３】
0003123729.tif 000005
【図４】
0003123729.tif 000006